(57)【要約】【課題】消費電力を抑えつつ緊急警報のデータ放送をより確実に受信することができる受信装置および受信制御方法を提供すること。【解決手段】受信装置は、デジタルテレビ放送のデータ放送を放送する放送信号から緊急警報信号を検出すると（Ｓ２０００）、高受信効率モードに切り替え（Ｓ３０００）、データ放送の受信が完了すると（Ｓ４０００）、省電力モードに切り替える（Ｓ６０００）。そして、更にデータ放送の更新が開始された場合には（Ｓ７０００：ＹＥＳ）、再び高受信効率モードに切り替える（Ｓ３０００）。【選択図】図２
2009060166.tif 000002
【特許請求の範囲】
【請求項１】
デジタルテレビ放送におけるデータ放送を受信するデータ放送受信部と、
緊急警報信号を検出する緊急警報信号検出部と、
前記緊急警報信号検出部により緊急警報信号が検出されたとき、前記データ放送受信部を高受信効率モードに切り替え、前記緊急警報信号検出部による緊急警報信号の検出後に前記データ放送受信部によるデータ放送の受信が完了したとき、前記データ放送受信部を省電力モードに切り替える省電力処理部と、
を有する受信装置。
【請求項２】
前記データ放送受信部で受信された前記データ放送の内容を表示する表示部、
を更に有する請求項１記載の受信装置。
【請求項３】
前記データ放送受信部は、
前記データ放送および前記緊急警報信号を含む放送信号を受信し、受信した放送信号から前記データ放送のデータを分離し、
前記緊急警報信号検出部は、
前記データ放送受信部で受信された放送信号から前記緊急警報信号を検出する、
請求項１記載の受信装置。
【請求項４】
前記データ放送受信部で分離されたデータ放送のデータから、前記データ放送の受信完了を検出する受信完了検出部、
を更に有する請求項３記載の受信装置。
【請求項５】
前記データ放送受信部は、
それぞれ前記放送信号を独立に受信する第１および第２の受信部、を有し、
前記高受信効率モードは、前記第１および第２の受信部の両方を動作させるモードであり、前記省電力モードは、前記第１および第２の受信部のいずれか一方のみを動作させるモードである、
請求項３記載の受信装置。
【請求項６】
前記省電力処理部は、
前記緊急警報信号検出部により緊急警報信号が検出されたとき、警告を発する、
請求項１記載の受信装置。
【請求項７】
前記省電力処理部は、
前記緊急警報信号検出部により緊急警報信号が検出されたとき、前記表示部の輝度を一時的に上げる、
請求項１記載の受信装置。
【請求項８】
前記データ放送受信部で分離されたデータ放送のデータから、前記放送信号に含まれるデータ放送の内容の更新を検出する更新検出部、を更に有し、
前記省電力処理部は、
前記緊急警報信号に対応して前記データ放送受信部が前記省電力モードとなっているときで、前記更新検出部により前記データ放送の内容の更新が検出されたとき、前記データ放送受信部を高受信効率モードに切り替え、この切り替え後に前記受信完了検出部によりデータ放送の受信完了が検出されたとき、前記データ放送受信部を省電力モードに切り替える、
請求項４記載の受信装置。
【請求項９】
前記省電力処理部は、
前記高受信効率モードに切り替えた後、前記データ放送の受信が完了しないまま所定の時間が経過したときに、前記データ放送受信部を省電力モードに切り替える、
請求項１記載の受信装置。
【請求項１０】
前記緊急警報信号は、前記放送信号に含まれるＰＭＴ情報の緊急情報記述子またはＴＭＣＣ情報の緊急警報放送用起動フラグである、
請求項１記載の受信装置。
【請求項１１】
緊急警報信号を検出する緊急警報信号検出ステップと、
前記緊急警報信号検出ステップで前記緊急警報信号が受信されると、デジタルテレビ放送のデータ放送を受信するデータ放送受信部を高受信効率モードに切り替える高受信効率モード切替ステップと、
前記高受信効率モード切替ステップにより前記高受信効率モードへの切り替えが行われると、前記データ放送の受信が完了したか否かを判断する受信完了判断ステップと、
前記受信完了判断ステップで前記データ放送の受信が完了したと判断されると、前記データ放送受信部を省電力モードに切り替える省電力処理ステップと、
を有する受信制御方法。
【発明の詳細な説明】
【技術分野】
【０００１】
本発明は、デジタルテレビ放送のデータ放送を受信する受信装置およびこれに対する受信制御方法に係り、特に、緊急警報信号を受信する受信装置および緊急警報信号を用いた受信制御方法に関する。
【背景技術】
【０００２】
デジタルテレビ放送では、地震や津波などの災害が発生したときなどに緊急警報を伝える緊急警報放送が運用されている。
【０００３】
緊急警報放送は、緊急警報放送が開始される旨を示す信号（以下「緊急警報信号」という）を放送信号に挿入する。緊急警報放送に対応した受信装置（以下単に「受信装置」という）は、メイン電源がオフの状態でも緊急警報信号の有無を監視し、緊急警報信号を検出するとメイン電源を自動でオンにする。これにより、受信装置のユーザに対して緊急警報の存在を通知することができるとともに、緊急警報の内容を伝えるデータ放送を受信して表示することができる。
【０００４】
災害に伴い電力供給が停止された場合などを想定し、通常、受信装置はバッテリー駆動で緊急警報放送を受信する。電力供給の復旧までの時間が不確定であることなどから、災害時においては、受信装置の電力の温存が重要である。
【０００５】
そこで、緊急警報信号の検出後に省電力モードに遷移する技術が、例えば特許文献１および特許文献２に記載されている。
【０００６】
特許文献１記載の技術によれば、受信装置は、緊急警報信号を検出すると、緊急警報の存在をユーザに通知する。そして、受信装置は、通知後に所定の時間が経過してもユーザ操作が行われないときには、放送信号を受信する受信部から音声や映像を出力するスピーカや表示部までの装置部の一部の機能を停止する省電力モードに遷移する。これにより、ユーザに対して緊急警報の存在を通知することができるとともに、災害時における受信装置の省電力化を図ることができる。
【０００７】
また、特許文献２記載の技術によれば、受信装置は、緊急警報信号を検出すると、緊急警報の存在をユーザに通知する。そして、受信装置は、緊急警報の終了を検出したとき、省電力モードに遷移する。これにより、ユーザに対して緊急警報の存在を通知することができるとともに、災害時における受信装置の省電力化を図ることができる。
【特許文献１】特開２００６−３３０１３号公報
【特許文献２】特開２００７−８１５１６号公報
【発明の開示】
【発明が解決しようとする課題】
【０００８】
しかしながら、特許文献１および特許文献２記載の技術では、緊急警報の内容を伝えるデータ放送のコンテンツをユーザに提示することなく省電力モードに遷移してしまうおそれがある。災害発生時には緊急警報の内容を知ることが非常に重要であるため、緊急警報のデータ放送をより確実に受信できることが求められる。
【０００９】
本発明は、かかる点に鑑みてなされたものであり、消費電力を抑えつつ緊急警報のデータ放送をより確実に受信することができる受信装置および受信制御方法を提供することを目的とする。
【課題を解決するための手段】
【００１０】
本発明の受信装置は、デジタルテレビ放送におけるデータ放送を受信するデータ放送受信部と、緊急警報信号を検出する緊急警報信号検出部と、前記緊急警報信号検出部により緊急警報信号が検出されたとき、前記データ放送受信部を高受信効率モードに切り替え、前記緊急警報信号検出部による緊急警報信号の検出後に前記データ放送受信部によるデータ放送の受信が完了したとき、前記データ放送受信部を省電力モードに切り替える省電力処理部とを具備する構成を採る。
【００１１】
本発明の受信制御方法は、緊急警報信号を検出する緊急警報信号検出ステップと、前記緊急警報信号検出ステップで前記緊急警報信号が受信されると、デジタルテレビ放送のデータ放送を受信するデータ放送受信部を高受信効率モードに切り替える高受信効率モード切替ステップと、前記高受信効率モード切替ステップにより前記高受信効率モードへの切り替えが行われると、前記データ放送の受信が完了したか否かを判断する受信完了判断ステップと、前記受信完了判断ステップで前記データ放送の受信が完了したと判断されると、前記データ放送受信部を省電力モードに切り替える省電力処理ステップとを有するようにした。
【発明の効果】
【００１２】
本発明によれば、緊急警報信号を受信したときに高受信効率モードに切り替え、その後、データ放送の受信が完了したときに省電力モードに切り替えるので、消費電力を抑えつつ緊急警報のデータ放送をより確実に受信することができる。
【発明を実施するための最良の形態】
【００１３】
以下、本発明の一実施の形態について、図面を参照して詳細に説明する。
【００１４】
図１は、本発明の一実施の形態に係る受信装置としての受信端末の構成を示すブロック図である。本実施の形態は、本発明をダイバーシティによるワンセグ受信機能を備えた受信端末に適用した例である。
【００１５】
まず、ワンセグおよびワンセグで取得可能な緊急警報関連の情報について説明する。
【００１６】
ワンセグは、地上デジタル放送の周波数帯域を構成する１３セグメントの１セグメントを用いた放送サービスである。ワンセグにおいて、放送番組などの映像データ、音声データおよびデータ放送は、トランスポートストリーム（ＴＳ：Transport Stream）に多重化される。このとき、トランスポートストリームには、受信側で所望の放送番組を選択するための情報である番組特定情報（ＰＳＩ：Program Specific Information）や、番組選択の利便性のための情報である番組配列情報（ＳＩ：Service Information）などの制御情報が付加される。そして、トランスポートストリームは、各種の変調処理が行われて、放送局の送信所から送出される。
【００１７】
また、放送局側では、地震などの災害時には、緊急警報信号として、制御情報（ＰＳＩ／ＳＩ）に含まれるＰＭＴ（Program Map Table）情報に緊急情報識別子を記述するとともに、放送信号に含まれるＴＭＣＣ（Transmission and Multiplexing Configuration Control）情報の緊急警報放送用起動フラグを立てる。
【００１８】
図１において、受信端末１００は、第１の受信部１１０−１、第２の受信部１１０−２、ＴＳ解析部１２０、映像デコーダ部１３０、データ放送処理部１４０、表示部１５０、音声デコーダ部１６０、スピーカアンプ１７０、スピーカ１８０、ＣＰＵ（Central Processing Unit）１９０、メモリ部２００、タイマ部２１０、および省電力処理部２２０を有する。
【００１９】
第１および第２の受信部１１０−１、１１０−２は、それぞれワンセグの放送信号を受信して元のトランスポートストリームを再生する。第１の受信部１１０−１と第２の受信部１１０−２は、同一の構成および機能を有するため、ここでは受信部１１０として一括して説明を行う。
【００２０】
受信部１１０は、アンテナ部１１１を介してワンセグの放送信号を受信し、受信した放送信号に対して、ＯＦＤＭ（直交周波数分割多重：Orthogonal Frequency Division Multiplexing）復調と、誤り検出および誤り訂正を含むデジタル復調とを行い、元のトランスポートストリームを再生して出力する。
【００２１】
ＴＳ解析部１２０は、第１および第２の受信部１１０−１、１１０−２で再生されたトランスポートストリームを解析し、映像データ、音声データ、データ放送、番組特定情報（ＰＳＩ）、および番組配列情報（ＳＩ）を分離して出力する。
【００２２】
映像デコーダ部１３０は、ＴＳ解析部１２０から出力される映像データに対して、デコード処理および画質処理を行う。
【００２３】
データ放送処理部１４０は、データ放送向けのページ記述言語であるＢＭＬ（Broadcast Markup Language）を解釈して映像データを作成するＢＭＬ部（図示せず）を有する。データ放送処理部１４０は、ＴＳ解析部１２０から出力されるデータ放送のデータに対してデコード処理を行い、ＤＩＩ（Download Info Indication）メッセージおよび複数のＤＤＢ（Download Data Block）パケットを含むデータ放送のモジュールをデータ放送情報として取得する。そして、データ放送処理部１４０は、取得したデータ放送情報をメモリ部２００に順次記録し、コンテンツの全てのデータ放送情報の記録が完了すると、ＢＭＬ部で、記録したデータ放送情報から映像データを生成して出力する。
【００２４】
表示部１５０は、液晶ディスプレイ（図示せず）を備え、液晶ディスプレイに、映像デコーダ部１３０から出力される映像データと、データ放送処理部１４０から出力される映像データとを並べて表示する。
【００２５】
音声デコーダ部１６０は、ＴＳ解析部１２０から出力される音声データに対して、デコード処理、音質調整処理およびデジタルアナログ変換処理を行い、アナログ音声信号を出力する。
【００２６】
スピーカ１８０は、音声デコーダ部１６０から出力されるアナログ音声信号を、スピーカアンプ１７０を介して入力し、音声に変換して出力する。
【００２７】
ＣＰＵ１９０は、制御プログラムを実行して、受信端末１００の各部の動作を制御する。特に、ＣＰＵ１９０は、放送信号から緊急警報信号を検出したときに、通常の動作を行う通常モードから、高い受信効率で放送信号を受信するとともにユーザに警告を発する処理を行う高受信効率モードに切り替える。そして、ＣＰＵ１９０は、緊急警報信号の検出後にデータ放送の受信が完了したときに、低い消費電力で放送信号を受信する省電力モードに切り替える。
【００２８】
本実施の形態では、通常モードとは、受信端末１００が、電界強度やユーザ操作に応じて、第１および第２の受信部１１０−１、１１０−２の両方を使用するダイバーシティ受信と、第１および第２の受信部１１０−１、１１０−２のいずれか一方のみを使用するシングル受信とを適宜切り替えるモードをいう。高受信効率モードとは、受信端末１００が、第１および第２の受信部１１０−１、１１０−２の両方を用いて放送信号を受信し、かつ、表示部１５０の液晶ディスプレイの輝度を一時的に上げるモードをいう。また、省電力モードとは、受信端末１００が、第１および第２の受信部１１０−１、１１０−２のいずれか一方のみを用いて放送信号を受信するモードをいう。
【００２９】
なお、省電力モードでは、受信端末１００は、映像デコーダ部１３０〜スピーカ１８０の機能を停止するようにしてもよい。
【００３０】
メモリ部２００は、ＣＰＵ１９０が実行する制御プログラムと、その他制御プログラムの実行に必要な各種情報とを格納する。
【００３１】
省電力処理部２２０は、ＣＰＵ１９０によるモード切り替えに従い、第１および第２の受信部１１０−１、１１０−２の起動および停止と、表示部１５０の液晶ディスプレイの輝度とを制御する。
【００３２】
以下、上記構成を有する受信端末１００の動作について説明する。
【００３３】
ここでは、ワンセグ受信機能およびダイバーシティ機能に関しては従来のものと同様であるため、これらについての説明を省略し、ワンセグ受信におけるモードの切り替えに関する動作を中心として説明を行う。
【００３４】
受信端末１００は、表示部１５０に表示される所定のアイコンがキースイッチの操作で選択されるなどしてモード制御の開始を指示されると、以下に説明するモード制御処理を実行する。
【００３５】
図２は、モード制御処理の流れを示すフローチャートであり、ＣＰＵ１９０により実行される。
【００３６】
まず、ステップＳ１０００で、受信端末１００は、通常モードでの動作を開始する。具体的には、ＣＰＵ１９０が、省電力処理部２２０を起動させ、省電力処理部２２０に対して、通常モードの開始を指示する。また、既に通常モード以外のモードで動作している場合には、ＣＰＵ１９０は、省電力処理部２２０に対して、通常モードへの切り替えを命令する。
【００３７】
そして、ステップＳ２０００で、受信端末１００は、放送信号に緊急警報信号が存在するか否かを判断する。具体的には、受信端末１００は、放送信号の受信を行っている受信部１１０で復調されるＯＦＤＭフレームのＴＭＣＣ情報に緊急警報放送用起動フラグが立っているか否か、またはＴＳ解析部１２０で分離される制御情報に緊急情報識別子が含まれているか否かを調べる。受信端末１００は、放送信号に緊急警報信号が存在しない場合には（Ｓ２０００：ＮＯ）、ステップＳ２０００の処理を繰り返し、緊急警報信号の監視を継続する。一方、放送信号に緊急警報信号が存在した場合には（Ｓ２０００：ＹＥＳ）、ステップＳ３０００に進む。
【００３８】
なお、受信端末１００は、緊急警報放送用起動フラグがオン状態であること、緊急情報識別子が含まれること、および地域コードの合致など他の所定の条件の全てが満たされる場合に、緊急警報信号が存在すると判断するようにしてもよい。
【００３９】
ステップＳ３０００で、受信端末１００は、緊急警報の内容を伝えるコンテンツがデータ放送により放送される可能性が高いことから、高受信効率モードに切り替える。具体的には、ＣＰＵ１９０が、省電力処理部２２０に対して、高受信効率モードへの切り替えを命令する。これにより、第１および第２の受信部１１０−１、１１０−２の両方で放送信号が受信され、受信効率が向上するので、データ放送をより確実に受信することができる。また、表示部１５０の液晶ディスプレイの輝度が上がり、ユーザに対する注意喚起が行われるため、ユーザは、データ放送により伝えられる緊急警報の内容が表示されたときに、緊急警報の内容をより確実に知ることができる。更に、受信端末１００は、タイマ部２１０を用いて、高受信効率モードに切り替えてからの時間の計時を開始する。
【００４０】
そして、ステップＳ４０００で、受信端末１００は、データ放送の受信が完了したか否かを判断する。具体的には、受信端末１００は、データ放送処理部１４０でモジュールロックが発生したか否か、またはイベントメッセージ（Event Message）の受信が完了したか否かにより、データ放送の受信が完了したか否かを判断する。受信端末１００は、データ放送の受信が完了していない場合には（Ｓ４０００：ＮＯ）、ステップＳ５０００に進み、データ放送の受信が完了した場合には（Ｓ４０００：ＮＯ）、ステップＳ６０００に進む。
【００４１】
モジュールロックとは、データ放送の更新コンテンツの受信を完了するまで古いコンテンツを表示し続けることを目的として、記憶領域にコンテンツの全モジュールを保存する仕組みである。モジュールロックの完了、つまり更新コンテンツの受信の完了は、スクリプト「module locked」により検出可能である。
【００４２】
イベントメッセージとは、データ放送の表示／非表示など、受信端末１００に対する即時の制御を行うためのメッセージ情報である。イベントメッセージは、ＤＩＩメッセージやＤＤＢ情報を包含するセクションに格納されて伝送される。データ放送処理部１４０は、イベントメッセージを受信すると、ＢＭＬ部に対してイベントメッセージファイヤ（Event Message Fired）イベントを発生する。
【００４３】
ステップＳ５０００で、受信端末１００は、高受信効率モードに切り替えてから所定の時間が経過してタイムアウトとなったか否かを判断する。受信端末１００は、まだタイムアウトとなっていない場合には（Ｓ５０００：ＮＯ）、ステップＳ４０００に戻り、データ放送の受信が完了しないうちにタイムアウトになった場合には（Ｓ５０００：ＹＥＳ）、ステップＳ６０００に進む。すなわち、データ放送の受信が完了したときと、高受信効率モードに切り替えてからデータ放送の受信を完了しないまま所定の時間が経過したときに、ステップＳ６０００に進む。この処理は、後述するＤＩＩメッセージからのデータ放送の更新の検出がされない場合や、受信状況が悪く更新後のデータ放送のデータを受信できない場合を想定したものである。なお、上記した所定の時間は、例えば、データ放送におけるデータカルーセルの一周期分以上とすればよい。
【００４４】
ステップＳ６０００で、受信端末１００は、データ放送の受信が完了したことから、または現状のままではしばらくデータ放送を受信完了できない可能性が高いことから、省電力モードに切り替える。具体的には、ＣＰＵ１９０が、省電力処理部２２０に対して、省電力モードへの切り替えを命令する。これにより、第１および第２の受信部１１０−１、１１０−２のいずれか一方のみで放送信号の受信を行うので、消費電力を低減することができ、また、放送信号の受信を継続するので、緊急警報信号の監視を継続することができる。また、省電力モードでは、放送信号に対応する出力を行わないようにするなどして、更なる省電力化を図るようにしてもよい。
【００４５】
そして、ステップＳ７０００で、受信端末１００は、データ放送で放送されるコンテンツの更新（以下単に「データ放送の更新」という）が開始されるか否かを判断する。具体的には、受信端末１００は、データイベントチェンジ（Data Event Changed）、モジュールアップデート（Module Update）、またはイベントメッセージイベントが発生したか否かによって、データ放送の更新が開始されるか否かを判断する。受信端末１００は、データ放送の更新が開始されない場合には（Ｓ７０００：ＮＯ）、ステップＳ８０００に進み、データ放送の更新が開始された場合には（Ｓ７０００：ＹＥＳ）、ステップＳ３０００に戻って再び高受信効率モードに切り替える。これにより、データ放送の更新が開始されるごとに受信効率が向上するので、災害状況の変化に伴い時々刻々と変化する緊急警報の内容を、より確実にユーザに伝えることができる。
【００４６】
データイベントチェンジは、基本ストリーム（ＥＳ：Elementary Stream）単位での内容の更新であり、データ放送情報に含まれるＤＩＩメッセージのデータイベントＩＤ（IDentification）により検出される。データイベントチェンジでは、古いコンテンツは、更新コンテンツの全てのモジュールが取得されるまで保持され、更新コンテンツの全てのモジュールの取得が完了すると破棄される。このような古いコンテンツの破棄を伴う更新コンテンツの取得が完了したときも、上述したモジュールロックが検出される。
【００４７】
また、モジュールアップデートは、モジュール単位での内容の更新であり、モジュールバージョンの更新により検出される。モジュールアップデートでは、更新されたデータ部分のみが取得され、古いコンテンツは、取得されたデータ部分により更新される。このような古いコンテンツの破棄を伴わない更新コンテンツの取得が完了したときも、上述したモジュールロックが検出される。
【００４８】
また、イベントメッセージイベントは、イベントメッセージに基づいて発生し、ＢＭＬ部に通知されるイベントであり、例えば、上記したイベントメッセージファイヤイベントである。
【００４９】
ステップＳ８０００で、受信端末１００は、表示部１５０に表示される所定のアイコンがキースイッチの操作で選択されるなどして、通常モードへの復帰が指示されたか否かを判断する。受信端末１００は、通常モードへの復帰が指示されていない場合には（Ｓ８０００：ＮＯ）、ステップＳ７０００に戻り、データ放送の更新の監視を継続し、通常モードへの復帰が指示された場合には（Ｓ８０００：ＹＥＳ）、ステップＳ９０００に進む。
【００５０】
ステップＳ９０００で、受信端末１００は、モード制御を継続するか否かを判断し、モード制御を継続する場合には（Ｓ９０００：ＮＯ）、ステップＳ１０００に戻り、通常モードに復帰するとともに、緊急警報信号の監視を継続する。一方、表示部１５０に表示される所定のアイコンがキースイッチの操作で選択されたり、メイン電源をオフにされるなどして、モード制御を終了する場合には（Ｓ９０００：ＹＥＳ）、受信端末１００は、一連の処理を終了する。
【００５１】
このようにして、受信端末１００は、緊急警報信号を受信したときに高受信効率モードに遷移し、そして、緊急警報信号の受信後にデータ放送の受信が完了したときに、省電力モードに遷移する。これにより、緊急警報のデータ放送の受信は高い受信効率で行われ、緊急警報のデータ放送が放送されない間は消費電力が低減される。
【００５２】
次に、上述したモード制御処理によるモード遷移の様子について説明する。
【００５３】
図３は、緊急警報放送が開始されたときのモード制御処理によるモード遷移の様子の一例を示す図であり、図２のステップＳ１０００〜Ｓ６０００に対応している。
【００５４】
図３に示すように、まず、通常モードによる受信が行われているときに（ステップＳ８０１０）、時刻ｔ１で、送出側（放送局側）から緊急警報信号が送出されたとする（ステップＳ８０２０）。この場合、受信側（受信端末１００）では、緊急警報信号に対する検出動作が行われ（ステップＳ８０３０）、時刻ｔ２に緊急警報信号が検出される（ステップＳ８０４０）。この結果、モードが切り替えられ（ステップＳ８０５０）、ダイバーシティ受信により受信率を向上させるとともにユーザへの警告を発する高受信効率モードによる受信が行われる（ステップＳ８０６０）。
【００５５】
この間に、放送局では、非常に高い確率で緊急警報に関する特別番組が編成され、時刻ｔ３で、送出側から送出されるデータ放送のコンテンツの一部または全てが更新される（ステップＳ８０７０）。受信側では、更新されたデータ放送の受信の完了に対する検出動作が行われ（ステップＳ８０８０）、時刻ｔ４で、モジュールロックの発生などによりデータ放送の受信の完了が検出される（ステップＳ８０９０）。この結果、モードが切り替えられ（ステップＳ８１００）、シングル受信により消費電力を低減させた省電力モードによる受信が行われる（ステップＳ８１１０）。
【００５６】
なお、高受信効率モードに以降した後、データ放送の受信の完了を検出しないままタイムアウトになった場合にも、省電力モードに遷移する。
【００５７】
図４は、図３に示すモード遷移が行われた後にデータ放送の更新があったときのモード制御処理によるモード遷移の様子の一例を示す図であり、図２のステップＳ３０００〜Ｓ８０００に対応している。
【００５８】
図４に示すように、まず、省電力モードによる受信が行われているときに（ステップＳ８１１０）、時刻ｔ５で、送出側出されるデータ放送のコンテンツの一部または全てが更新されたとする（Ｓ８１２０）。受信側では、時刻ｔ６で、データ放送のコンテンツの更新が検出され（ステップＳ８１３０）、この結果、モードが切り替えられて（ステップＳ８１４０）、ダイバーシティ受信により受信率を向上させるとともにユーザへの警告を発する高受信効率モードによる受信が行われる（ステップＳ８１５０）。
【００５９】
そして、高受信効率モードにおいて、更新されたデータ放送の受信が行われ（ステップＳ８１６０）、時刻ｔ７で、モジュールロックの発生などによりデータ放送の受信の完了が検出される（ステップＳ８１７０）。この結果、モードが切り替えられ（ステップＳ８１８０）、再びシングル受信により消費電力を低減させた省電力モードによる受信が行われる（ステップＳ８１９０）。
【００６０】
このように、受信端末１００は、緊急警報が開始されたとき、緊急警報の内容を伝えるデータ放送が放送される間は高受信効率モードを維持して、データ放送のより確実な受信を図るとともにユーザへの注意喚起を促す。また、受信端末１００は、緊急警報の内容を伝えるデータ放送が放送されない間は省電力モードを維持して、電力の温存を図る。
【００６１】
図５は、本発明に係る受信装置（受信端末１００）と従来の受信装置との比較を示す図である。
【００６２】
図５に示すように、ワンセグによるテレビジョン放送を受信しているときに、ＰＭＴ情報の緊急情報記述子を検出した場合、本発明に係る受信装置（受信端末１００）では、受信部１１０の強制ダイバーシティによる受信効率の向上と、表示部１５０の高輝度化によるユーザへの注意喚起と、他機能端末制御が行われる。データ放送の受信を完了して緊急警報の内容が表示されるまでには、ある程度の時間を要する。したがって、本発明に係る受信装置（受信端末１００）では、緊急警報の内容が表示されるまでの時間に、ユーザに対して緊急警報の存在および緊急警報の内容を伝えるデータ放送の開始を予告することができる。これにより、本発明に係る受信装置（受信端末１００）は、ユーザへの注意喚起を行わない従来の受信装置に比べて、ユーザに対して緊急警報の存在および緊急警報の内容をより確実に伝えることが可能となる。
【００６３】
また、例えば、周波数などの伝送路情報と編成チャンネルを関連づける情報を伝送するネットワーク情報テーブル（ＮＩＴ：Network Information Table）の送出間隔に比べて、ＰＭＴ情報の送出間隔のほうが短いため、緊急警報信号が発せられたときに、迅速にこれを検出し、緊急警報の内容を伝えるデータ放送の開始を判断することができる。したがって、早いタイミングで高受信効率モードに移行することができ、緊急放送の内容を伝えるデータ放送のコンテンツの取りこぼしを防ぐことができる。
【００６４】
以上のように、本実施の形態によれば、放送信号から緊急警報信号を検出したときに、通常モードから高受信効率モードに素早く切り替えるので、周囲の環境によって放送信号の受信状態が変化する場合でも、緊急警報のデータ放送をより確実に受信することができる。また、緊急警報信号の検出後において、データ放送の受信完了をトリガとして省電力モードに切り替えるので、利便性を高めることができるともに、消費電力を抑えることができる。したがって、消費電力を抑えつつ緊急警報のデータ放送をより確実に受信することができ、災害時の情報入手手段としての信頼性を向上させることができる。
【００６５】
また、データ放送の更新の開始を検出するごとに、高受信効率モードへの切り替えと省電力モードへの復帰とを行う。これにより、緊急警報のより確実な取得を、消費電力を抑えた状態で継続することができる。したがって、時々刻々と変化する災害状況に応じた最新の情報を逐次入手することができ、災害時の情報入手手段としての信頼性を更に向上させることができる。
【００６６】
すなわち、本実施の形態によれば、受信端末は、必要に応じて適応的に動作モードを切り替えるので、緊急度の高い情報を即時にユーザに伝えることができ、かつ、災害時およびライフライン復旧までの期間に備えて電力を温存することができる。これにより、緊急警報の内容を伝えるデータ放送の第一報を取り損なうのをより確実に防ぐことができるとともに、長時間にわたって緊急警報放送の受信およびこれに関連する情報の視聴が可能となる。
【００６７】
また、受信端末が携帯電話機やＧＰＳ受信機である場合など、災害時に特に有用な他の機能が受信端末に備えられている場合には、災害時の携帯機器としての付加価値を高めることができる。
【００６８】
なお、本実施の形態では、本発明を、ダイバーシティ受信機能を有する受信端末に適用した上で、高受信効率モードでダイバーシティ受信を行い、省電力モードでシングル受信を行うとしたが、これに限定されるものではない。受信効率を向上させた各種動作が行われるモードを高受信効率モードとし、少ない消費電力で放送信号の受信を継続できる各種動作が行われるモードを省電力モードとしてもよいことは勿論である。
【００６９】
また、通常モードにおいても、データ放送の更新が検出されたときには高効率モードとするようにしてもよい。通常モードにおけるデータ放送の更新も、上記した省電力モードの場合と同様に、例えばデータイベントチェンジ、モジュールアップデート、またはイベントメッセージイベントの発生によって検出可能である。この場合には、最新のデータ放送を効率よく受信することができるとともに、緊急警報信号が受信されない場合においても、緊急警報のデータ放送をより確実に受信することが可能となる。
【００７０】
更に、緊急警報信号として、ＰＭＴ情報の緊急情報記述子またはＴＭＣＣ情報の緊急警報放送用起動フラグを用いる場合について説明したが、これらに限定されるものではなく、アナログテレビ放送、ラジオ放送、ＧＰＳ（Global Positioning System）放送などの放送信号に含まれる各種緊急警報信号を用いてもよい。
【産業上の利用可能性】
【００７１】
本発明に係る受信装置および受信制御方法は、消費電力を抑えつつ緊急警報のデータ放送をより確実に受信することができる受信装置および受信制御方法として有用である。
【図面の簡単な説明】
【００７２】
【図１】本発明の一実施の形態に係る受信装置としての受信端末の構成を示すブロック図
【図２】本実施の形態におけるモード制御処理の流れを示すフローチャート
【図３】本実施の形態における緊急警報放送が開始されたときのモード遷移の様子の一例を示す図
【図４】本実施の形態における図３に示すモード遷移が行われた後にデータ放送の更新があったときのモード遷移の様子の一例を示す図
【図５】本発明に係る受信装置と従来の受信装置との比較を示す図
【符号の説明】
【００７３】
１００  受信端末
１１０  受信部
１２０  ＴＳ解析部
１３０  映像デコーダ部
１４０  データ放送処理部
１５０  表示部
１６０  音声デコーダ部
１７０  スピーカアンプ
１８０  スピーカ
１９０  ＣＰＵ
２００  メモリ部
２１０  タイマ部
２２０  省電力処理部
【図１】
2009060166.tif 000003
【図２】
2009060166.tif 000004
【図３】
2009060166.tif 000005
【図４】
2009060166.tif 000006
【図５】
2009060166.tif 000007